(57)【要約】【課題】通常、ゲーム機に用いられるジョイスティック装置に備えられるジョイスティック構造体）の軸受は、ジョイスティックシャフトと当接する領域を面で支持するお椀形の軸受を備える構成が一般的である。このような場合、ジョイスティックシャフトの当接領域である球面の形状と、軸受の当接領域であるお椀形の面の形状が一致するように加工する必要がある。しかしながら、両者の形状を一致させるような球面（御椀）形状に加工することは技術的に困難であるという課題がある。【解決手段】そこで、本発明は軸受と接触可能な領域が球面ジョイスティックシャフトと、これを線接触で支持するための軸受で構成されるジョイスティック構造体を提供する。【選択図】図２
2011192284.tif 000002
【特許請求の範囲】
【請求項１】
軸受と接触可能な当接領域が球面であるジョイスティックシャフトと、
前記ジョイスティックシャフトを線接触にて支持する軸受と、
を有するジョイスティック構造体。
【請求項２】
軸受は、前記当接領域を受ける逆円錐台の軸受空間を備えた軸受面を有する請求項１に記載のジョイスティック構造体。
【請求項３】
軸受空間は、その内壁が
配置されたジョイスティック構造体のジョイスティックシャフトと３０度〜４５度の角度となるように傾いている請求項１に記載のスティック構造体。
【請求項４】
軸受空間の内壁材質と、ジョイスティックシャフトの当接領域材質とは、その組み合わせがＰＯＭとナイロン６との組み合わせで構成されている請求項１から３のいずれか一に記載のスティック構造体。
【発明の詳細な説明】
【技術分野】
【０００１】
本発明は、ジョイスティックなどに備えられているジョイスティック構造体の構造に関する。
【背景技術】
【０００２】
通常、ゲーム機に用いられるジョイスティック装置に備えられるジョイスティック構造体（０１０１）のジョイスティックシャフトを支持する軸受は、図１に示すように軸受と接触可能な当接領域が球面であるジョイスティックシャフト（０１０２）に対して、軸受は、ジョイスティックシャフトと当接する領域を面で支持するお椀形の軸受（０１０３）を備える構成が一般的である。
【０００３】
ところで、このような構成を採る場合、ジョイスティックシャフトの当接領域である球面の形状と、軸受の当接領域であるお椀形の面の形状が一致するように加工する必要がある。なぜなら、形状が一致しないと、ジョイスティックシャフトが軸受内にてガタつきが発生するためである。
【０００４】
しかしながら、両者の形状を一致させるような球面（御椀）形状に加工することは技術的に困難であるという課題がある。
【先行技術文献】
【特許文献】
【０００５】
【特許文献１】特開平１０−１０５２６９
【発明の概要】
【発明が解決しようとする課題】
【０００６】
そこで、特許文献１に記載の技術が提供されている。具体的には、ジョイスティックシャフトのガタつきを抑えるためのＸ軸、Ｙ軸各方向へ可動するクランクを備えたジョイスティック装置である。
【０００７】
しかしながら、特許文献１に記載の技術はガタつきを抑えることはできるが、従来のジョイスティック装置では備えられていないクランクが備えられているため、ジョイスティック操作時の操作感覚が異なるという課題がある。
【課題を解決するための手段】
【０００８】
そこで、本発明は上記課題を鑑み軸受と接触可能な領域が球面ジョイスティックシャフトと、これを線接触で支持するための軸受で構成されるジョイスティック構造体を提供する。具体的には、以下のようなジョイスティック構造体である。
【０００９】
第１発明は、軸受と接触可能な当接領域が球面であるジョイスティックシャフトと、前記ジョイスティックシャフトを線接触にて指示する軸受と、を有するジョイスティック構造体を提供する。
【００１０】
第２発明は、第１発明を基本として軸受は当接領域を受ける逆円錐台の軸受空間を備えた軸受面を有するジョイスティック構造体を提供する。
【００１１】
第３発明は、第２発明を基本として軸受空間は、その内壁がジョイスティック構造体は一面に対して３０〜４５度の角度で傾いているジョイスティック構造体を提供する。
【００１２】
第４発明は、第２発明若しくは第３発明のいずれか一を基本として、軸受空間の内壁材質と、ジョイスティックシャフトの当接領域材質とは、その組み合わせがＰＯＭとナイロン６との組み合わせで構成されているジョイスティック構造体を提供する。
【発明の効果】
【００１３】
本発明により、ジョイスティックシャフトが、これを支持するための軸受内にてガタつきが発生することを防ぐことが可能となる。これにより、スティック操作の応答遅延などを改善することが可能となり、操作性を向上することが可能となる。
【図面の簡単な説明】
【００１４】
【図１】一般的なジョイスティック装置のジョイスティックシャフトを支持する軸受の一例を示した図
【図２】実施形態１のジョイスティック構造体の概略図（軸受挿入後  断面図）
【図３】実施形態１のジョイスティック構造体におけるジョイスティックシャフトの一例を示した図
【図４】実施形態１のジョイスティック構造体における軸受の一例を示した図（軸受けの構成）
【図５Ａ】実施形態１のジョイスティック構造体における軸受けにジョイスティックシャフトが支持されることを説明するための図（Ａ）
【図５Ｂ】実施形態１のジョイスティック構造体における軸受けにジョイスティックシャフトが支持されることを説明するための図（Ｂ）
【図５Ｃ】実施形態１のジョイスティック構造体における軸受けにジョイスティックシャフトが支持されることを説明するための図（Ｃ）
【図６】実施形態１のジョイスティック構造体に装着する感度調節キャップを説明するための図（装着前）
【図７】実施形態１のジョイスティック構造体に装着する感度調節キャップを説明するための図（装着後）
【図８Ａ】実施形態２のジョイスティック構造体の概略図（軸受挿入後  断面図）
【図８Ｂ】実施形態２のジョイスティック構造体の概略図（軸受挿入前  断面図）
【図９】実施形態２のジョイスティック構造体における軸受の一例を示した図（軸受けの構成）
【図１０】実施形態２のジョイスティック構造体における軸受けにジョイスティックシャフトが支持されることを説明するための図
【図１１】実施形態２のジョイスティック構造体における軸受空間の内壁角度について説明するための図
【発明を実施するための形態】
【００１５】
以下に、図を用いて本発明の実施の形態を説明する。なお、本発明はこれらの実施の形態に何ら限定されるものではなく、その要旨を逸脱しない範囲において、種々なる態様で実施しうる。
【００１６】
実施形態１は主に請求項１について主に説明する。また、実施形態２は、主に請求項２、３、４について説明する。
【００１７】
≪実施形態１≫
【００１８】
<実施形態１  概要>
【００１９】
本実施形態のジョイスティック構造体は図２に示すように、ジョイスティック装置に備えられることを想定したジョイスティック構造体（０２０１）である。本実施形態のジョイスティック構造体は、ユーザが握って操作するためのジョイスティックシャフト（０２０２）と、ジョイスティックシャフト（０２０２）を支持するための軸受（０２０３）とを備えている。
【００２０】
本実施形態のジョイスティックシャフト構造体は、本図に示すように軸受（０２０３）がジョイスティックシャフト（０２０２）を線接触にて支持することを特徴としている。
【００２１】
<実施形態１：構成>
【００２２】
≪ジョイスティックシャフト≫
【００２３】
「ジョイスティックシャフト」（０２０２）は、軸受と接触可能な当接領域が球面であるジョイスティックシャフトである。具体的には、ジョイスティックシャフトにおける軸受と接する領域が球面であるスティック（操作桿・レバー）である。
【００２４】
図３は、実際に本実施形態におけるジョイスティックシャフトの一例を示したものである。本実施形態のジョイスティックシャフトは、ユーザが握るためのシャフト（０３０２）と、軸受と当接するための当接領域を備えた当接部品（０３０４）で構成されている。
【００２５】
なお、本実施形態におけるジョイスティックシャフトは、シャフトと当接部品と、から構成される異なる部品の集合体である場合の一例を挙げたが実際にはそれだけに限定されない。例えば、シャフトと当接部品が一つの部品で構成されていてもよい。さらには、
【００２６】
≪軸受≫
【００２７】
「軸受」（０２０３）は、ジョイスティックシャフトを線接触にて支持する軸受である。具体的には、ジョイスティックシャフトの当接領域（０３０４）を直接支持することで、ジョイスティックシャフトを支持する。
【００２８】
図４、５は実際に本実施形態における軸受の一例を示したものである。本実施形態の軸受は、図４に示すように軸受けの当接領域を受ける領域として円柱の空間を備える軸受である。本実施形態の軸受は、図５に示すようにジョイスティックシャフトを軸受けに挿入し、円柱の空間にジョイスティックシャフトの当接領域を接触させることで線接触にて支持させるという具合である（図５Ａは挿入前の断面図のイメージを示し、図５Ｂは挿入後の断面図のイメージを示している。図５Ｃは、挿入後の斜視図と接触面を示している）。
【００２９】
本実施形態のジョイスティック構造体は、さらに次に示す機能を備えていてもよい。
【００３０】
≪スティック操作感度調節機能≫
【００３１】
図６は、ジョイスティックシャフト（０６０２）の下端に取り付けることで、ジョイスティックシャフトの操作による感度の調節を行うための感度調節キャップ（０６０５）である。図７に示すように感度調節キャップ（０７０５）は、ジョイスティックシャフトの下端にはめるようにして利用する。これにより、ジョイスティックシャフトの可動範囲を狭めることが可能となる。したがって、スティックを少し傾倒させるだけでジョイスティック構造体に備えられた操作方向を検知するためのマイクロスイッチのＯＮ／ＯＦＦ入力が可能となる。
【００３２】
<実施形態１：効果>
【００３３】
本実施形態のジョイスティックシャフトの当接領域と軸受を線接触にて支持させるジョイスティック構造体によって、ジョイスティックシャフトのガタつきをなくすことが可能となる。
【００３４】
≪実施形態２≫
【００３５】
<実施形態２  概要>
【００３６】
本実施形態のジョイスティック構造体は、図８Ａ、Ｂに示すように、ジョイスティックシャフト（０８０２）を支持するための軸受における当接領域を受けるための軸受空間（０８０３）が逆円錐台の形状であるジョイスティック構造体である（図８Ａは、ジョイスティックシャフト挿入後を示し、図８Ｂは、ジョイスティックシャフト挿入後を示している）。
【００３７】
≪軸受空間≫
【００３８】
「軸受空間」（０８０３）は、軸受に設けられた前記当接領域を受ける逆円錐台の空間である。具体的には軸受に設けられたジョイスティックシャフトの当接領域を支持するための円錐台の形状をした空間である。
【００３９】
図９、１０は、実際に本実施形態における軸受面の一例を示した図である。本実施形態の軸受空間は、図９に示すように、逆円錐台空間を備えた軸受け面である。本実施形態の軸受面は図１０に示すようにジョイスティックシャフトの当接領域を線接触（円接触）にて支持するという具合である。
【００４０】
≪軸受空間の内壁角度≫
【００４１】
ここで、本実施形態の軸受空間は、その内壁がジョイスティック構造体配置面に対して３０度〜４５度の角度で傾いている構造であってもよい。具体的には図１１に示すように、本実施形態のジョイスティック構造体がジョイスティック装置に配置される際の面に対して軸受空間の内壁の角度（θ）が、３０度〜４５度傾いているという具合である。
【００４２】
≪軸受空間の内壁材質とジョイスティックシャフトの当接領域材質≫
【００４３】
また、軸受空間の内壁材質とジョイスティックシャフトの当接領域材質はPOM（ポリアセタール）と、PA6（ナイロン６）との組み合わせで構成されていてもよい。この組み合わせにより、軸受空間の内壁とジョイスティックシャフトの当接領域との摩擦をより軽減することができる。これにより、スティック操作の軽快さを出すことができると共に摩擦による摩耗を軽減することができる。
【００４４】
<実施形態２：効果>
【００４５】
本実施形態のジョイスティック構造体によってジョイスティックシャフトのガタつきをなくすことが可能になると共に、軸受の軸受空間の内壁とジョイスティックシャフトの当接領域との摩擦による摩耗を減らすことが可能となる。
【符号の説明】
【００４６】
０１０１  ジョイスティック構造体
０１０２  ジョイスティックシャフト
０１０３  軸受
０３０４  当接部品
０６０５  感度調節キャップ
【図１】
2011192284.tif 000003
【図２】
2011192284.tif 000004
【図３】
2011192284.tif 000005
【図４】
2011192284.tif 000006
【図５Ａ】
2011192284.tif 000007
【図５Ｂ】
2011192284.tif 000008
【図５Ｃ】
2011192284.tif 000009
【図６】
2011192284.tif 000010
【図７】
2011192284.tif 000011
【図８Ａ】
2011192284.tif 000012
【図８Ｂ】
2011192284.tif 000013
【図９】
2011192284.tif 000014
【図１０】
2011192284.tif 000015
【図１１】
2011192284.tif 000016